【事件の表示】
　特許第３３２７２８２号「脱穀装置」の請求項１に係る特許に対する特許異議の申立てについて、次のとおり決定する。
【結　論】
　訂正を認める。
　特許第３３２７２８２号の請求項１に係る特許を維持する。
【理　由】
１．手続の経緯
　特許第３３２７２８２号の請求項１に係る発明についての出願は、平成３年９月２７日に出願された特願平３−２７６７８５号出願の一部を平成１２年１月２６日に新たな出願としたものであって、平成１４年７月１２日にその発明についての特許権の設定登録がなされ、その後、平成１５年３月２４日に特許異議の申立てがなされ、平成１５年６月１３日（発送日）に、本件請求項１に係る発明の特許について取消し理由を通知したところ、平成１５年８月１１日に特許異議意見書と共に訂正請求書が提出され、これらについて異議申立人に意見を求めたが、異議申立人からはなんら応答はない。
　
２．訂正請求について
２-1．訂正の内容
　特許権者が求めている訂正の内容は、次のとおりである（下線部分が訂正個所である）。
（１）訂正事項ａ
　平成１３年１０月１１日付け手続補正書により補正された明細書（以下、「特許明細書」という。）の特許請求の範囲の【請求項１】に記載された「移動側板２６に軸支された扱胴５と脱穀済みの排藁を搬送する排藁搬送装置６２とを非作業位置へ移動できるように構成し、前記移動側板２６側に設けたフック３３と脱穀装置１本体側の固定側板２９側に設けた係合部材４１とからロック装置３２を形成して該ロック装置３２を前記移動側板２６と固定側板２９との分割面付近に配置し、該ロック装置３２を介して前記扱胴５と排藁搬送装置６２とが作業位置に保持されるように構成したことを特徴とする脱穀装置。」を、
　「
脱穀室４の供給側移動側板２５と排出側
との間
脱穀室４の上方を覆う上部カバー４５に一体的に設けられて
排出側
排出側
排出側
を
して前記供給側移動側板２５と排出側移動側板２６との間に設けた複数の補強横杆３０のうち前記扱胴５の回転上昇側にある補強横杆３０に設けた切歯３１によって扱胴５に巻き付いた藁屑を切断するものとし、前記上部カバー４５と機体側との間に設けたロック装置７６を介して排藁搬送装置６２を作業位置に保持して排藁搬送を行う
（２）訂正事項ｂ
　特許明細書の段落【０００４】及び【０００５】の記載を、
　「【課題を解決するための手段】
　本発明は、上記課題を解決するために、つぎの技術的手段を講じた。
　すなわち、
脱穀室４の供給側移動側板２５と排出側
との間
脱穀室４の上方を覆う上部カバー４５に一体的に設けられて
排出側
排出側
排出側
排出側
を
して前記供給側移動側板２５と排出側移動側板２６との間に設けた複数の補強横杆３０のうち前記扱胴５の回転上昇側にある補強横杆３０に設けた切歯３１によって扱胴５に巻き付いた藁屑を切断するものとし、前記上部カバー４５と機体側との間に設けたロック装置７６を介して排藁搬送装置６２を作業位置に保持して排藁搬送を行う
　しかして、
排出側
排出側
脱穀室４の供給側移動側板２５と排出側
との間
　一方、前記ロック装置３２をロック状態とすると、扱胴
５が
排出側
排出側
そして、前記供給側移動側板２５と排出側移動側板２６との間に設けた複数の補強横杆３０のうち前記扱胴５の回転上昇側にある補強横杆３０に設けた切歯３１によって扱胴５に巻き付いた藁屑が切断される。
（３）訂正事項ｃ
　特許明細書の段落【０００６】の記載を、
　「【発明の効果】
　本発明によると、扱胴５と排藁搬送装置６２とを非作業位置に移動させて脱穀装置１のメンテナンスを容易に行うことができると共に、脱穀作業時においては、扱胴
５を
５を
と共に、脱穀室４の供給側移動側板２５と排出側移動側板２６との間に設けた複数の補強横杆３０のうち扱胴５の回転上昇側にある補強横杆３０に設けた切歯３１によって扱胴５に巻き付いた藁屑を切断することができる
　
２-2．訂正の適否
（１）訂正事項ａについて
　上記訂正事項ａは、「扱胴５」が、「脱穀室４の供給側移動側板２５と排出側移動側板２６との間に」に軸支され、「ロック装置３２」が、「排出側移動側板２６と排出側固定側板２９との分割面付近に配置」されたものに限定するとともに、「供給側移動側板２５と排出側移動側板２６との間に設けた複数の補強横杆３０のうち前記扱胴５の回転上昇側にある補強横杆３０に設けた切歯３１によって扱胴５に巻き付いた藁屑を切断する」構成及び「上部カバー４５と機体側との間に設けたロック装置７６を介して排藁搬送装置６２を作業位置に保持して排藁搬送を行う」構成を新たに付加するものであるから、特許請求の範囲の減縮を目的とするものである。
　そして、上記訂正事項ａの構成は、特許明細書に、「扱胴５は、扱胴軸２４により前記脱穀室４の供給側移動側板２５と排出側移動側板（移動側板）２６の間に軸装し、」（特許公報２頁右欄１８〜２０行）、「補強横杆３０のうち前記扱胴５の回転上昇側にある補強横杆３０には切歯３１を設ける。切歯３１は扱胴５に巻き付いた藁屑等を切断し、前記排塵口１３より落下する落下物が細かくなるようにしている。」（２頁右欄３５〜３９行）、「排出側移動側板２６と排出側固定側板２９との間にロック装置３２を設ける。」（２頁右欄４０〜４１行）、「前記上部カバー４５は、・・・上部カバー４５と機体側との間には複数のロック部７３、７４、７５を有するロック装置７６を設け、」（３頁右欄２〜５行）の記載に基づく構成であるから、上記訂正事項ａによる訂正は、願書に添付した明細書又は図面に記載した事項の範囲内においてするものであり、かつ、実質上特許請求の範囲を拡張し、又は変更するものではない。
（２）訂正事項ｂ及びｃについて
　上記訂正事項ｂ及びｃは、発明の詳細な説明の記載を訂正後の特許請求の範囲の記載と整合させるための訂正であるから、明りょうでない記載の釈明を目的とするものであって、願書に添付した明細書又は図面に記載した事項の範囲内においてするものであり、かつ、実質上特許請求の範囲を拡張し、又は変更するものではない。
　
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについて
３-1．異議の申立て理由の概要
　異議申立人は、下記の証拠方法を提示し、本件の特許は次の理由により特許法第１１３条第２号の規定に該当するから取り消されるべきである旨主張する。
（１）本件請求項１に係る発明は、甲第１ないし３号証に記載された発明に基づいて当業者が容易に発明をすることができたものであるから、特許法第２９条第２項の規定に違反して特許されたものである。
（２）平成１３年１０月１１日に提出した手続補正書による補正は明細書又は図面の要旨を変更するものと認められ、本件出願は前記手続補正書を提出したときにしたものとみなされ、そして、本件請求項１に係る発明は、甲第４又は５号証に記載された発明、あるいは、同甲号証に記載された発明に基づいて当業者が容易に発明をすることができたものであるから、特許法第２９条の規定に違反して特許されたものである。
　　　　　　　　　　　　　　記
　甲第１号証：特開昭６０−１１８１１９号公報
　甲第２号証：実願平１−１１７５２４号（実開平３−５６３３１号）のマイクロフイルム
　甲第３号証の１：実願昭５８−５７２０２号（実開昭５９−１６１９３２号）のマイクロフイルム
　甲第３号証の２：特開平１−１８１７２１号公報
　甲第３号証の３：特開平１−３２０９３０号公報
　甲第４号証：特開２００１−２５１９５５号公報
　甲第５号証：特開平５−８４０１５号公報（本件出願の原出願の公開公報）
　
３-2．本件特許発明
　上記「２．訂正請求について」で示したように上記訂正が認められるから、本件の請求項１に係る発明（以下、「本件発明」という）は、訂正後の特許明細書の特許請求の範囲の請求項１に記載されたとおりのものである。
　「脱穀室４の供給側移動側板２５と排出側移動側板２６との間に軸支された扱胴５と脱穀室４の上方を覆う上部カバー４５に一体的に設けられて脱穀済みの排藁を搬送する排藁搬送装置６２とを非作業位置へ移動できるように構成し、前記排出側移動側板２６側に設けたフック３３と脱穀装置１本体側の排出側固定側板２９側に設けた係合部材４１とからロック装置３２を形成して該ロック装置３２を前記排出側移動側板２６と排出側固定側板２９との分割面付近に配置し、該ロック装置３２を介して前記扱胴５を作業位置に保持して前記供給側移動側板２５と排出側移動側板２６との間に設けた複数の補強横杆３０のうち前記扱胴５の回転上昇側にある補強横杆３０に設けた切歯３１によって扱胴５に巻き付いた藁屑を切断するものとし、前記上部カバー４５と機体側との間に設けたロック装置７６を介して排藁搬送装置６２を作業位置に保持して排藁搬送を行うように構成したことを特徴とする脱穀装置。」
　
３-3．当審の判断
　まず、平成１３年１０月１１日に提出した手続補正書による補正の適否について検討するに、上記訂正請求により、「ロック装置３２を前記排出側移動側板２６と排出側固定側板２９との分割面付近に配置し」「上部カバー４５と機体側との間に設けたロック装置７６を介して排藁搬送装置６２を作業位置に保持し」の構成が新たに付加されたので、異議申立人が、前記手続補正書による補正が明細書の要旨を変更すると主張する理由は解消された。
　そうすると、甲第４号証及び甲第５号証は本件出願後に頒布されたものであるから、特許法第２９条第１項第３号における刊行物ということはできない。
　
３-3-1．甲号各証記載の発明
（１）甲第１号証（特開昭６０−１１８１１９号公報）には、次の記載が認められる。
（１-a）「扱室前後側板(17)(17)が機枠前後側板(９)(９)の端部に嵌合させた後側支持ボス(l4)に設けた前後方向のボス孔(l8)と一致するよう上記機枠前後側板(９)(９)と前後側板(17)(17)との嵌合部に支持孔(19)…を設け、この支持孔(19)…には長支持杆部(20)とこの長支持杆部(20)の後部を斜め前方へ曲折して傾斜支持杆部(21)を形成するとともに、この傾斜支持杆部(21)に連設して上記支持杆部(20)に対して平行で機体幅分離れて短支持杆部(22)を設けて構成したＵ型支持体(23)の長支持杆部(20)を挿通するとともに後側支持ボス(15)のボス孔(18)に回動自在に嵌合支持している。・・・この駆動ベベルギヤー(29)には前後側板(l7)(17)に扱胴(30)を支持するとともに副入力伝動ケース(25)に回転可能に支持された扱胴軸(31)の前側に取付けた受動ベベルギヤー(31a)を噛合わせている。」（２頁左上欄１行〜同頁右上欄７行）、
（１-b）「Ｕ型支持体(23)の傾斜支持杆部(21)には、短支持杆部(22)に近い所に藁搬送ベベルボックス(38)を取付け、この藁搬送ベベルボックス(38)の入力プーリー(39)には扱胴軸(31)の後部に設けた出力プーリー(40)とにベルト(41)を掛け渡し、藁搬送ベベルボックス(38)の出力スプロケット(42)と傾斜支持杆部(21)に沿って設けた支持体(43)の遊端部に回転可能に設けた回転輪（図示省略）とに藁搬送チエン(44)を掛け渡している。」（２頁左下欄１〜９行）、
（１-c）「扱室(６)を掃除を行なう場合、ロックボルト(48)を外すとともに、ベルト(41)を外した後、穀稈挟持移送部(37)を持ち上げ回動すると長支持杆部(20)を中心に扱胴(30)、藁搬送ベベルボックス(38)及び藁搬送チエン(44)等を一緒に揚穀筒(８)側へ回動して掃除を行う。」（３頁左上欄４〜９行）、
（１-d）「扱室(６)の掃除が完了し、あるいは受網枠(32)の交換が完了した後は扱室(６)を下方へ回動し、ロックボルト(48)を締付け、ベルト(41)を掛け渡す。
　要するに、この発明は揚穀筒側に設けた支持杆に扱胴支持枠と受網側とを回動可能に取付けて構成したので、扱室の扱口側を扱胴とともに上方へ回動して大きく開き、扱室内を掃除するのが容易になるとともに、受網を容易に交換することができる。」（３頁左上欄１５行〜同頁右上欄８行）。
　上記記載及び図面の記載によると、甲第１号証には、
　扱室前後側板(17)(17)の間に軸支された扱胴(30)と脱穀済みの排藁を搬送する藁搬送チエン(44)とを非作業位置へ移動できるように構成し、前記扱室前後側板(17)(17)をロックボルト(48)によって固定側板に固定し、扱胴(30)及び藁搬送チエン(44)を作業位置に保持するように構成した脱穀装置（以下、「甲第１号証の発明」という。）が記載されていると認められる。
（２）甲第２号証（実願平１−１１７５２４号（実開平３−５６３３１号）のマイクロフイルム）には、次の記載が認められる。
（２-a）「上部ケース(18)を、扱口(19)とは反対側の位置であって、かつ、扱胴軸芯と略平行な軸芯(Ｐ)周りで開閉揺動自在に下部ケース(20)に枢支するとともに、扱室(４)の穀稈搬送方向下手側にアッパーチェーン型の排ワラ挾持搬送装置(10)を配設してある脱穀装置であって、
　前記上部ケース(18)の揺動端側に、フィードチェーン(２)に対向する挾持レール(３)を装備するとともに、上部ケース(18)を前記排ワラ挾持搬送装置(10)上方にまで延出し、この上部ケース(18)の後方延出部に前記排ワラ挾持搬送装置(10)の搬送チェーン(21)を支持して上部ケース(18)と共に持上げ開放可能に構成してある脱穀装置。」（実用新案登録請求の範囲）、
（２-b）「排ワラ挾持搬送装置(10)を支持する支持フレーム(23)を前記軸芯(Ｐ)周りで上部ケース(18)と一体的に揺動するよう下部ケース(20)側支柱フレーム(24)の上端に枢支連結するとともに、排ワラ搬送経路の上方を迂回するよう横方向に延設し、ベベルギアケース(25)及び排ワラ搬送チェーン(21)の途中部位に連結してある。又、排ワラ搬送経路の上方に位置する支柱フレーム(23)を所定位置で受止め支持し、かつ、ロックするための受止めフレーム(26)を排ワラ搬送経路を迂回する状態で排ワラカッタ(11)から立上延設してある。そして、脱穀作業時においては解除自在なロック部材(27)で位置決め固定するよう構成してある。
　このように構成すると、脱穀作業終了後において、清掃等メンテナンス作業の際には、上部ケース(18)を開放揺動させるとフィードチェーン(２)及び排ワラ搬送チェーン(21)は共に開放状態となってワラ屑除去作業を容易に行える。
　又、扱胴(５)と排ワラ搬送チェーン(21)とは一体的に揺動するので、動力伝達用伝動ベルト(15)は伝動状態を維持したままで開閉可能であるのでベルト張緩用専用部材を設ける必要がない。」（６頁１８行〜８頁１行）。
　上記記載及び図面の記載によると、甲第２号証には、
　扱胴(５)を支承する上部ケース(18)を、扱口(19)とは反対側の位置であって、かつ、扱胴軸芯と略平行な軸芯(Ｐ)周りで開閉揺動自在に下部ケース(20)に枢支するとともに、扱室(４)の穀稈搬送方向下手側にアッパーチェーン型の排ワラ挾持搬送装置(10)を配設してある脱穀装置であって、
　前記上部ケース(18)の揺動端側に、フィードチェーン(２)に対向する挾持レール(３)を装備するとともに、上部ケース(18)を前記排ワラ挾持搬送装置(10)上方にまで延出し、この上部ケース(18)の後方延出部に前記排ワラ挾持搬送装置(10)の搬送チェーン(21)を支持して上部ケース(18)と共に持上げ開放可能に構成し、上部ケース(18)の支柱フレーム(23)を、受止めフレーム(26)のロック部材(27)で位置決め固定するよう構成してある脱穀装置（以下、「甲第２号証の発明」という。）が記載されていると認められる。
（３）甲第３号証の１（実願昭５８−５７２０２号（実開昭５９−１６１９３２号）のマイクロフイルム）には、「扱室(２)を形成する前側板(21)を、穀稈供給口(22)の上縁中間部からこの中間部より扱口(23)とは反対側に延びる分割線(Ｌ)で、扱胴(３)を取付けた開閉部分(24)とその他の固定部分(25)とに分割形成し、前記開閉部分(24)を、前記固定部分(25)に、この固定部分(25)の上縁側で前記分割線(Ｌ)より扱口(23)とは反対側に位置すると共に扱胴軸芯に平行な軸芯(Ｐ１)周りで上下揺動自在に取付け、前記開閉部分(24)の閉じロツク具(30)を、前記開閉部分(24)の遊端側と前記固定部分(25)とにわたつて設けた脱穀装置であつて、前記分割端部からこの端部とは反対の端部側に延びる横フレーム部分(36)又は(39b)と、前記開閉部分(24)の枢支部から下端側に延びると共に下端縁が穀稈供給口(22)より下方に位置し、かつ、前記横フレーム部分(36)又は(39b)に連結した縦フレーム部分(36a)，(37)，(38)又は(39a)とから成るフレーム(39)を、前記固定部分(25)に取付けてある脱穀装置。」（実用新案登録請求の範囲）と記載されている。
（４）甲第３号証の２（特開平１−１８１７２１号公報）には、「扱室(２)及び扱室後方の脱穀排ワラ搬送室(５)を形成すると共に、扱胴(３)を取付けてある上部機体(15)を、前記扱胴(3)に対して扱口(2b)と反対側に位置すると共に扱胴回転軸芯（Ｐ１）と平行・・・な軸芯（Ｐ２）の周りで上下に揺動開閉するように機体本体(16)に取付けた自動脱穀機であって、・・・前記上部機体(15)の閉じ状態で前記上部機体(15)の扱室用前壁部(15a)を前記機体本体(16)に連結固定する第１ロック具(21)、前記扱室用後壁部(15b)を前記機体本体(16)に連結固定する第２ロック具(22)・・・の夫々をロック解除自在に設けると共に、前記第１ロック具(21)、前記第２ロック具(22)・・・を１つの操作具(28)の操作によってロック解除操作される状態に前記操作具(28)に連動連結してある自動脱穀機。」（特許請求の範囲）と記載されている。
（５）甲第３号証の３（特開平１−３２０９３０号公報）には、「扱室(３)を閉じた際には、開閉側壁部分(13a)及び(14a)の夫々に軸芯(Ｐ２)または（Ｐ３）の周りで揺動するように取付けると共にロック解除レバー(23)または(24)によって解除操作するように構成したフック(25)または(26)を固定側壁部分(13b)または(14b)のピン(27)または(28)に係合させると共にロック付勢スプリング(29)または(30)により係合状態に維持させることにより、閉じロックするように構成してある。」（３頁左上欄１０〜１９行）と記載されている。
　
３-3-2．対比・判断
　本件発明と甲第１又は２号証の発明とを対比すると、
　甲第１又は２号証の発明は、本件発明の構成要件である、「排出側移動側板２６側に設けたフック３３と脱穀装置１本体側の排出側固定側板２９側に設けた係合部材４１とからロック装置３２を形成して該ロック装置３２を前記排出側移動側板２６と排出側固定側板２９との分割面付近に配置し、該ロック装置３２を介して前記扱胴５を作業位置に保持し」、「上部カバー４５と機体側との間に設けたロック装置７６を介して排藁搬送装置６２を作業位置に保持」する構成を備えていない点で本件発明と構成が相違する。
　すなわち、甲第１号証の発明は、扱胴(30)を支持する扱室前後側板(17)(17)を、ロックボルト(48)によって作業位置に保持するものであり、扱室前後側板(17)(17)と上部カバーとを別々のロック装置によって作業位置に保持するものではなく、また、甲第２号証の発明は、上部ケース(18)を支持フレーム(23)に設けたロック部材(27)によって作業位置に保持するものであり、上部ケース(18)の扱室前後側板と上部ケース(18)の上部カバーとを別々のロック装置によって作業位置に保持するものではないから、甲第１又は２号証の発明は、扱胴を、排出側移動側板と排出側固定側板との分割面付近に配置したロック装置によって作業位置に保持し、上部カバーをロック装置によって保持する構成を備えているとはいえない。
　そこで、上記相違点について検討する。
　排出側移動側板側に設けたフックと脱穀装置本体側の排出側固定側板側に設けた係合部材とからロック装置を形成して該ロック装置を前記排出側移動側板と排出側固定側板との分割面付近に配置することは、甲第３号証の１ないし３に記載されているように周知であるが、扱胴を、排出側移動側板と排出側固定側板との分割面付近に配置したロック装置によって作業位置に保持し、上部カバーをロック装置によって保持する構成は、公知であるとはいえず、また、上記相違点における本件発明の構成は、甲第１号証ないし甲第３号証の３に記載された発明に基づいて当業者が容易に発明をすることができたものとすることはできない。
　そして、本件発明は特許明細書記載の効果を奏するものであるから、本件発明が上記甲第１号証ないし甲第３号証の３に記載された発明に基いて当業者が容易に発明をすることができたものとすることはできない。
　
３-4．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年３月２４日（２００５．３．２４）
【訂正の要旨】
審決（決定）の【理由】欄参照。
（５４）【発明の名称】
脱穀装置
（５７）【特許請求の範囲】
　【請求項１】　
脱穀室４の供給側移動側板２５と排出側
との間
脱穀室４の上方を覆う上部カバ−４５に一体的に設けられて
排出側
排出側
排出側
排出側
を
して前記供給側移動側板２５と排出側移動側板２６との間に設けた複数の補強横杆３０のうち前記扱胴５の回転上昇側にある補強横杆３０に設けた切歯３１によって扱胴５に巻き付いた藁屑を切断するものとし、前記上部カバ−４５と機体側との間に設けたロック装置７６を介して排藁搬送装置６２を作業位置に保持して排藁搬送を行う
【発明の詳細な説明】
　【０００１】
　【発明の属する技術分野】
　本発明は、コンバイン等の脱穀装置に関するものである。
　【０００２】
　【従来の技術】
　例えば、実開平３−５６３３１号のマイクロフィルムには、移動側板に軸支された扱胴と脱穀済みの排藁を搬送する排藁搬送装置とを非作業位置へ移動できるように構成し、前記排藁搬送装置を支持する脱穀室の上部カバ−側に設けたフックと脱穀装置本体側に設けた係合部材とからロック装置を形成して該ロック装置を搬送穀稈の株元部の通過を妨げないように脱穀室後方に離間させてフィ−ドチェン側に配置し、該ロック装置を介して前記扱胴と排藁搬送装置とが作業位置に保持されるように構成した脱穀装置が記載されている。
　【０００３】
　【発明が解決しようとする課題】
　上述の実開平３−５６３３１号のマイクロフィルムに記載された脱穀装置においては、扱胴と排藁搬送装置とを作業位置に保持するロック装置がフィ−ドチェン側に設けられるため、このフィ−ドチェン及びこれに続く排藁搬送装置によって搬送される穀稈の株元部がこのロック装置に干渉しないように、このロック装置を脱穀室後方に大きく離れた位置（斜設された排藁搬送装置によって排藁株元部が脱穀装置内部に引き込まれてしまう位置よりも更に後方の位置）に配置せざるをえない。このようにロック装置が扱胴から離れた位置に配置されると、該扱胴を適正な作業位置に保持する上で強度的に不利であり、例えば脱穀負荷によって扱胴が上動し、該扱胴と受網との間隔が広がって穀稈に適正な脱穀作用を与えられなくなり、脱穀作業を円滑に行うことができなくなる問題がある。
　【０００４】
　【課題を解決するための手段】
　本発明は、上記課題を解決するために、つぎの技術的手段を講じた。
　すなわち、
脱穀室４の供給側移動側板２５と排出側
との間
脱穀室４の上方を覆う上部カバ−４５に一体的に設けられて
排出側
排出側
排出側
排出側
を
して前記供給側移動側板２５と排出側移動側板２６との間に設けた複数の補強横杆３０のうち前記扱胴５の回転上昇側にある補強横杆３０に設けた切歯３１によって扱胴５に巻き付いた藁屑を切断するものとし、前記上部カバ−４５と機体側との間に設けたロック装置７６を介して排藁搬送装置６２を作業位置に保持して排藁搬送を行う
　【０００５】
　しかして、
排出側
排出側
脱穀室４の供給側移動側板２５と排出側
との間
　一方、前記ロック装置３２をロック状態とすると、扱胴
５が
排出側
排出側
そして、前記供給側移動側板２５と排出側移動側板２６との間に設けた複数の補強横杆３０のうち前記扱胴５の回転上昇側にある補強横杆３０に設けた切歯３１によって扱胴５に巻き付いた藁屑が切断される。
　【０００６】
　【発明の効果】
　本発明によると、扱胴５と排藁搬送装置６２とを非作業位置に移動させて脱穀装置１のメンテナンスを容易に行うことができると共に、脱穀作業時においては、扱胴
５を
５を
と共に、脱穀室４の供給側移動側板２５と排出側移動側板２６との間に設けた複数の補強横杆３０のうち扱胴５の回転上昇側にある補強横杆３０に設けた切歯３１によって扱胴５に巻き付いた藁屑を切断することができる
　【０００７】
　【発明の実施の形態】
　本発明の実施の形態を図により説明すると、１は、設置型またはコンバインあるいはハーベスター等に設けられる自走型の脱穀装置であり、一側を供給側２に他側を排出側３に形成し、前記供給側２の上方位置には脱穀室４を形成する。５は前記脱穀室４内に軸装した扱胴、６は該扱胴５の主として下方側に設けた扱網、７は前記脱穀室４の穀稈供給口、８は前記脱穀室４の穀稈排出口、９は前記扱網６の下方に設けた移送装置、１１は前記移送装置９の外周面に移送螺旋１０を有する移送ロール、１２は該移送ロール１１の下方に設けた底板、１３は前記脱穀室４の排塵口、１４は前記排塵口１３の下方から排出側３側に形成した風選室、１５は該風選室１４内に設けた揺動選別枠体、１６は一番コンベア、１７は二番コンベア、１８は前記二番コンベア１７の終端部に基部を接続した二番物戻し装置、１９は送風唐箕２０を軸装した送風室、２１は前記移送装置９の底板１２の下面と前記送風室１９の上面との間に形成した補助送風路であり、前記送風室１９の非作用域に送風して扱網６より落下する脱穀物を拡散させる。２２は補助送風唐箕である。
　【０００８】
　前記扱胴５は、扱胴軸２４により前記脱穀室４の供給側移動側板２５と排出側移動側板（移動側板）２６の間に軸装し、供給側２を中心に外開き回動自在に構成する。即ち、前記供給側移動側板２５は、その後側端縁を供給側固定側板２７に軸着金具２８により回動自在に取付け、前記排出側移動側板２６は脱穀装置１の排出側固定側板（固定側板）２９に対して着脱自在に構成し、供給側移動側板２５と排出側移動側板２６に支持された扱胴５は外開き回動する。
　【０００９】
　軸着金具２８の軸心方向は、前側を低く、後側に至るに従い高くなるように傾斜させ、前記扱胴５を回動させると、扱胴５の回動端は外側に回動させるほど高くなるように構成している。３０は前記供給側移動側板２５と前記排出側移動側板２６との間には複数設けた補強横杆であり、補強横杆３０のうち下方に位置する補強横杆３０は前記扱網６を上方から押える位置に配設して扱胴５を格納したとき、扱網６を上方から押さえて扱胴５の回転と共回りするのを防止し、補強横杆３０のうち前記扱胴５の回転上昇側にある補強横杆３０には切歯３１を設ける。切歯３１は扱胴５に巻き付いた藁屑等を切断し、前記排塵口１３より落下する落下物が細かくなるようにしている。
　【００１０】
　前記排出側移動側板２６と排出側固定側板２９との間にロック装置３２を設ける。ロック装置３２は、排出側移動側板２６の後側端縁の上部と下部にフック３３、３３の中間部を軸着し、フック３３とフック３３の上下中間位置に出入自在の係合ピン３４を設け、前記排出側移動側板２６には操作レバー３５の基部を軸筒３６に固定し、軸筒３６は前記排出側移動側板２６に固定の軸３７に嵌合させ、前記軸筒３６にはアーム３８の基部を固定し、アーム３８の中間部と前記フック３３とをロッド３９により連結し、ロッド３９の先端に前記係合ピン３４の前端部を軸着し、前記操作レバー３５の基部側と前記フック３３とをロッド４０により連結する。他方、前記排出側固定側板２９には前記フック３３、３３が係合する係合突起（係合部材）４１、４１を設け、係合突起４１と係合突起４１の間には前記係合ピン３４の先端が嵌合する係合筒４２を固定する。
　【００１１】
　しかして、前記脱穀室４の前側には、前記穀稈供給口７から前記穀稈排出口８に至る穀稈供給搬送通路４３を形成する。該穀稈供給搬送通路４３は、前記脱穀装置１の前板４４の上縁と、前記脱穀室４の上方を覆う上部カバー４５との間に形成され、該穀稈供給搬送通路４３の前側には脱穀室４に穀稈を供給する穀稈供給装置４６を設ける。該穀稈供給装置４６は、供給搬送チエン４７と該供給搬送チエン４７に弾力的に当接する挾扼杆４８とにより構成され、前記挾扼杆４８は前記上部カバー４５の前側内面に取付けられ、上部カバー４５の前側を上動させると、一体的に上動するように構成している。４９は前記供給搬送チエン４７のチエン案内レールであり、枠体５０に取付けられる。枠体５０は、その供給側２の縦杆をステー５１の先端縁に固定し、ステー５１の基部側を軸筒５２に固定し、該軸筒５２を機体側に支持されている縦軸５３に軸着し、チエン案内レール４９は縦軸５３を中心に外開き回動自在に構成している。５４は前記穀稈供給装置４６の駆動歯車であり、チエン案内レール４９とともに回動可能に伝動軸５５側に接続する。５６は前記チエン案内レール４９の終端部に設けた受動歯車であり、受動歯車５６には伝動軸５７の一端を着脱自在に取付け、伝動軸５７の他端にはプーリ５８を固定する。前記伝動軸５７の近傍には該伝動軸５７と平行な伝動軸５９を設け、該伝動軸５９の一端にプーリ６０を固定し、プーリ６０と前記プーリ５８との間にベルト６１を掛け回す。前記伝動軸５９の他端は前記穀稈供給装置４６の終端部に始端部を臨ませた排藁搬送装置６２の搬送チエン６３の駆動歯車６４を設けたギヤボックス６５に接続する。したがって、前記穀稈供給装置４６と排藁搬送装置６２との一方または両方が穀稈が詰まって停止しても、ベルト６１が空回りして各部の損傷を防止している。
　【００１２】
　しかして、前記排藁搬送装置６２は、前記脱穀室４の排出側３に設けた排藁搬送室９６内に設けられ、前記搬送チエン６３と該搬送チエン６３に対応する挾扼杆６６とにより構成される。前記挾扼杆６６は前記排藁搬送室９６内の機体側に取付けるが、搬送チエン６３は前記上部カバー４５と一体的に上下動する。前記上部カバー４５の中間板６７には、搬送チエン６３を取付けるコ型形状の取付フレーム６８の前後杆６９、７０の供給側２端部を固定する。取付フレーム６８は、前後杆６９、７０の排出側３を連結杆７１により連結し、前記取付フレーム６８の排出側３側を機体側に支持させる。前記排藁搬送チエン６３は前記ギヤボックス６５および搬送チエン６３の受動歯車７２を前記取付フレーム６８に取付け、上部カバー４５と一体的に上下させる。
　【００１３】
　しかして、前記上部カバー４５は、前記搬送チエン６３とともに上下するが、上部カバー４５と機体側との間には複数のロック部７３、７４、７５を有するロック装置７６を設け、該ロック装置７６は操作レバー７７により一度にロック解除しうるように構成する。前記供給側ロック部７３は供給側２に設けられ、前記脱穀装置１の供給側移動側板２５の前側部分に係合軸７８を設け、該係合軸７８に係合する係合フック７９の中間部を前記上部カバー４５に軸着して構成する。係合フック７９の前端には操作レバー７７の供給側２端部を固定し、操作レバー７７は前記脱穀室４の前板４４と平行に位置させ、操作レバー７７の排出側３は前記中間板６７の位置にて後側に屈曲させ、その端部には係合フック８０の前端部を固定する。係合フック８０は前記中間板６７に軸着し、前記排出側移動側板２６には係合フック８０が係合する係合軸８１を設け、前記係合フック８０および係合軸８１により前記中間ロック部７４を構成する。
　【００１４】
　前記取付フレーム６８の前杆６９には、支持板８２を複数設け、該支持板８２には前杆６９と平行の回転軸８３を軸着し、回転軸８３の排出側３側に係合フック８４の基部を固定し、係合フック８４は、排藁処理部８５のフレーム８６に設けた係合軸８７に係合させ、前記係合フック８４と係合軸８７により排出側ロック部７５を構成する。前記回転軸８３の供給側２にはアーム８８の基部を固定し、アーム８８の先端と前記係合フック８０に設けたアーム８９の先端との間をロッド９０により連結する。
　【００１５】
　図中、９１は処理胴、９２は排塵胴、９３は横断流吸引ファン、９４はカッタ、９５は拡散装置である。
　上記の構成であるから、穀稈は穀稈供給装置４６により穀稈供給口７より脱穀室４内に供給され、穀稈排出口８より排出されるまでの間に回転する扱胴５により脱穀され、脱穀物は扱網６より漏れ移送装置９上に落下し、移送装置９により排出側３に向けて移送されて風選室１４内に入り、また、脱穀室４内の脱穀物は排塵口１３より風選室１４内に入り、送風室１９の送風唐箕２０により送風される選別風および揺動選別枠体１５の揺動により選別され、一番物は一番コンベア１６に入って機外に取出され、二番物は二番コンベア１７に入る。二番コンベア１７に入った二番物は二番物戻し装置１８により移送装置９の始端部側に戻され、回転する移送装置９の移送ロール１１の移送螺旋１０により移送される間に処理されて、風選室１４に戻され風選される。
　【００１６】
　しかして、穀稈供給装置４６により搬送された穀稈は、排藁搬送装置６２に引継がれ、脱穀室４の排出側３に設けた排藁搬送室９６内を搬送されて排藁処理部８５に至り、カッタ９４で切断される（結束装置により結束することもある）。
　しかして、前記上部カバー４５は、その後側を脱穀室４の後板側に軸着し、その前側が上下するように構成されており、前記穀稈供給装置４６の挾扼杆４８および前記排藁搬送装置６２の搬送チエン６３を取付けた取付フレーム６８は前記上部カバー４５に取付けられているから、上部カバー４５を上動させると、穀稈供給装置４６の挾扼杆４８および排藁搬送装置６２の搬送チエン６３が上動し、搬送チエン４７と挾扼杆４８との間および搬送チエン６３と挾扼杆６６との間に空間が形成されるので、藁詰まりの除去等のメンテナンスが行なえる。また、上部カバー４５を上動させると、脱穀室４の上方が開放されるので、脱穀室４内のメンテナンスを行なえる。
　【００１７】
　この場合、上部カバー４５の供給側２に供給側ロック部７３の係合フック７９を軸着し、供給側２と排出側３との中間位置に中間ロック部７４の係合フック８０を設け、係合フック７９と係合フック８０とは操作レバー７７により連結しているので、操作レバー７７を上方に持ち上げると、係合フック７９および係合フック８０は回動して係合軸７８および係合軸８１から離脱する。そして、前記係合フック８０が回動すると、係合フック８０と一体的にアーム８９が回動し、アーム８９はロッド９０を牽引し、ロッド９０はアーム８９を回動させて回転軸８３を回転させ、回転軸８３は排出側ロック部７５の係合フック８４を係合軸８７により離脱させる。したがって、ロック装置７６の供給側ロック部７３と中間ロック部７４と排出側ロック部７５の各フックを前記操作レバー７７の一操作により回動させてロックを解除するので、上部カバー４５を簡単に上動させてメンテナンスができる。
　【００１８】
　しかして、扱胴５の上方を覆う上部カバー４５を上動させ、穀稈供給装置４６のチエン案内レール４９の終端部を外側回動させ、次に、操作レバー３５を上方回動させてロッド４０によりフック３３の基部を牽引し、アーム３８により係合ピン３４を前側に移動させ、また、アーム３８の回動によりロッド３９を牽引してフック３３の基部を牽引すると、フック３３、３３は同時に係合突起４１、４１に対して外開き回動して外れ、係合ピン３４は係合筒４２から抜け、排出側移動側板２６と排出側固定側板２９との間のロック装置３２のロックが外れるので、この状態で、排出側移動側板２６側を外側回動させると、扱胴５は外開き回動し、前記メンテナンスが行なえる。
　【００１９】
　また、上部カバー４５は、供給側ロック部７３と、中間ロック部７４と、排出側ロック部７５の３箇所で固定されるので、穀稈供給装置４６の終端部と排藁搬送装置６２の始端部との上下間隔が一定となり、藁詰まりを防止する。
　また、排藁搬送装置６２を取付けた取付フレーム６８は、図示は省略するが、取付フレーム６８の前杆６９と連結杆７１とを搬送チエン６３の案内レールで連結されているから、脱穀室４および上部カバー４５の強度を確保する。
　【００２０】
　また、前記排藁搬送装置６２の挾扼杆６６の終端部は、前記上部カバー４５の回動中心より前側に位置させているから、挾扼杆６６と搬送チエン６３との間の間隔を広く開けることができ、詰まり藁の除去を容易にする。
　以上のように、上部カバー４５を複数箇所で閉鎖位置に固定するロック手段７６を手動解除手段７７の一操作で解除するので、上部カバー４５の開閉を容易にし、メンテナンスを容易にできる。
【図面の簡単な説明】
　【図１】
　装置全体の縦断正面図。
　【図２】
　同供給側側面図。
　【図３】
　同排出側側面図。
　【図４】
　要部正面図。
　【図５】
　同平面図。
　【図６】
　概略斜視図。
　【図７】
　側面図。
　【図８】
　斜視図。
　【図９】
　斜視図。
　【符号の説明】
　　１　脱穀装置
　　
４
脱穀室
　　５　扱胴
　
２５
供給側移動側板
　２６　排出側移動側板
　２９　排出側固定側板
　
３０
補強横杆
　
３１
切歯
　３２　ロック装置
　３３　フック
　４１　係合突起（係合部材）
　
４５
上部カバ−
　６２　排藁搬送装置
　
７６
ロック装置